(57)【要約】      （修正有）【課題】ミシン縫い、かがり縫いの外周を縫製する方法を代替し、製造工程の歩留まりを高める発光パッド構造を提供する。【解決手段】発光パッド構造１０は、パッドプレート１、導光ストリップ２、光透過布３およびベースプレート４を含む。パッドプレート１は主パッド体１１および主パッド体１１に取り付けられる発光モジュール１２を含み、主パッド体１１は上面１１１、底面１１２および側面を有する。導光ストリップ２は、折り曲げて側面の周囲を取り囲み、発光モジュール１２に対応して配置される。光透過布３は中間部分３１および中間部分３１の周囲に設けられる周囲部分３２を有し、中間部分３１を上面１１１に貼付し、周囲部分３２を底面１１２に貼付することにより、光透過布３は側面の上、下側に渡るように設けられ、導光ストリップ２を覆う収容ポケットが形成される。ベースプレート４は底面１１２および周囲部分３２に貼付され、これらを覆う。【選択図】図２
0003223943.tif 000002
【実用新案登録請求の範囲】
【請求項１】
主パッド体（１１）および該主パッド体（１１）に取り付けられる発光モジュール（１２）を含み、該主パッド体（１１）は上面（１１１）、底面（１１２）および側面（１１３）を有するパッドプレート（１）と；
折り曲げて該側面（１１３）の周囲を取り囲み、該発光モジュール（１２）に対応して配置される導光ストリップ（２）と；
中間部分（３１）および該中間部分（３１）の周囲に設けられる周囲部分（３２）を有し、該中間部分（３１）を該上面（１１１）に貼付し、該周囲部分（３２）を該底面（１１２）に貼付することにより、該側面（１１３）の上、下側に渡るように設けられ、該導光ストリップ（２）を覆う収容ポケット（３３）が形成される光透過布（３）と；
該底面（１１２）および該周囲部分（３２）に貼付され、これらを覆うベースプレート（４）と；
を含む、発光パッド構造。
【請求項２】
該収容ポケット（３３）に少なくとも１つの開口（３４）が設けられ、該導光ストリップ（２）を該開口（３４）から該収容ポケット（３３）に通すか、または該収容ポケット（３３）から引き出すことができる、請求項１に記載の発光パッド構造。
【請求項３】
該開口（３４）は該周囲部分（３２）の外周から内に向かって設けて成形される、請求項２に記載の発光パッド構造。
【請求項４】
開口（３４）の数量は複数であり、該主パッド体（１１）は多角形の板体であり、複数の角（１１４）を有し、各該開口（３４）の位置は各該角（１１４）の位置に対応して設けられる、請求項２に記載の発光パッド構造。
【請求項５】
接着剤層（５）をさらに含み、該接着剤層（５）は該ベースプレート（４）、該底面（１１２）および該周囲部分（３２）の間に挟まれる、請求項１に記載の発光パッド構造。
【考案の詳細な説明】
【技術分野】
【０００１】
本考案はマウスパッドなどのパッド体構造に関し、特に発光パッド構造に関する。
【背景技術】
【０００２】
従来の発光マウスパッドは主にパッド体、導光ストリップ、および発光ダイオード（Ｌｉｇｈｔ  ｅｍｉｔｔｉｎｇ  ｄｉｏｄｅ、ＬＥＤ）などの発光ユニットを含む。導光ストリップは、縫製におけるミシン縫い、かがり縫いの方式でパッド体の外周に縫製され、さらに発光ユニットは導光ストリップに対応して設置され、光源を導光板から誘導し、さらには使用者の視覚的感覚を高める。
【０００３】
しかしながら、上記発光マウスパッドは以下の欠点を有する。１、ミシン縫い、かがり縫いの縫製で、糸が切れる、糸の緩みが不均一である、または糸が歪むなどの状況が出現した場合、製品不良と判断し、製造工程の歩留まりが低下する；２、導光ストリップにミシン縫い、かがり縫いの方式を採用し、パッド体の縁部に縫製すると、導光ストリップが損壊しても取り換えることができず、現代の環境保護の流れに符合しない。
【０００４】
このことを考慮して、本考案者は上記既存技術について鋭意研究を行い、さらに学理的な利用を組み合わせて、上記問題点の解決に尽力することは、本考案者の改良の目標となっている。
【考案の概要】
【考案が解決しようとする課題】
【０００５】
本考案の目的は、発光パッド構造を提供することであり、既知のミシン縫い、かがり縫いの方式でパッド体の外周に縫製する方法を代替し、さらには発光パッド構造の製造工程の歩留まりを高めることができる。
【課題を解決するための手段】
【０００６】
上記の目的を達成するため、本考案の実施例において、本考案は発光パッド構造を提供する。主パッド体および該主パッド体に取り付けられる発光モジュールを含み、該主パッド体は上面、底面および側面を有するパッドプレートと；折り曲げて該側面の周囲を取り囲み、該発光モジュールに対応して配置される導光ストリップと；中間部分および該中間部分の周囲に設けられる周囲部分を有し、該中間部分を該上面に貼付し、該周囲部分を該底面に貼付することにより、該側面の上、下側に渡るように設けられ、該導光ストリップを覆う収容ポケットが形成される光透過布と；該底面および該周囲部分に貼付され、これらを覆うベースプレートと；を含む。
【０００７】
上記に基づくと、導光ストリップは収容ポケットに収容されると同時に、収容ポケットにより側面の周囲に定位される。さらには既知のミシン縫い、かがり縫いの方式でパッド体の外周に縫製する方法を代替し、糸が切れる、糸の緩みが不均一である、または糸が歪むなどの状況が出現するのを防止し、発光パッド構造の製造工程の歩留まりを高めることを達成する。
【０００８】
上記に基づくと、収容ポケットに１つまたは複数の開口を設けることができ、これにより導光ストリップを開口から収容ポケットに通すか、または収容ポケットから引き出すことができ、使用者は損壊、好みなどの需要に基づいて、導光ストリップを交換することができる。
【図面の簡単な説明】
【０００９】
【図１】図１は、本考案の発光パッド構造の状態概要図である。
【図２】図２は、本考案の発光パッド構造の立体分解図である。
【図３】図３は、本考案の発光パッド構造における製造方法の工程フローチャートである。
【図４ａ】図４ａは、本考案の導光ストリップを折り曲げて側面の周囲を取り囲もうとする概要図である。
【図４ｂ】図４ｂは、本考案の中間部分を上面に貼付しようとする概要図である。
【図４ｃ】図４ｃは、本考案の光透過布が収容ポケットを形成する概要図である。
【図４ｄ】図４ｄは、本考案のベースプレートを底面および周囲部分に貼付する概要図である。
【図５】図５は、本考案の導光ストリップを収容ポケットから引き出すことができる概要図である。
【考案を実施するための形態】
【００１０】
本考案に関する詳細な説明および技術内容について、図を組み合わせて以下のように説明する。しかしながら、図は説明のみに用いられ、本考案を制限するものではない。
【００１１】
図１から図５を参照されたい。本考案は発光パッド構造を提供し、この発光パッド構造１０は、主にパッドプレート１、導光ストリップ２、光透過布３およびベースプレート４を含む。
【００１２】
図３に示すのは、本考案の発光パッド構造１０における製造方法の工程である。まず、図３の工程ａおよび図２に示すように、パッドプレート１を提供する。パッドプレート１は主パッド体１１および主パッド体１１に取り付けられる発光モジュール１２を含み、主パッド体１１は上面１１１、底面１１２および側面１１３を有する。
【００１３】
このうち、本実施例の主パッド体１１は多角形の板体であり、複数の角１１４を有し、発光モジュール１２はそのうちの１つの角１１４に取り付けられるが、これに制限されない。主パッド体１１は円形、楕円形、三角形、矩形など任意の幾何形状の板体でよく、発光モジュール１２は側面１１３など、順調に導光ストリップ２に導光することができるいずれかの位置に取り付けることができる。
【００１４】
さらに、図３の工程ｂおよび図２、図４ａに示すように、導光ストリップ２を提供する。導光ストリップ２は折り曲げて側面１１３の周囲を取り囲み、発光モジュール１２に対応して配置される。このうち、発光モジュール１２が生成する光線は導光ストリップ２を利用して導光され、主パッド体１１の周囲を発光させる。
【００１５】
また、図３の工程ｃおよび図１から図２、図４ｂから図４ｃに示すように、光透過布３を提供する。光透過布３は中間部分３１および中間部分３１の周囲に設けられる周囲部分３２を有し、中間部分３１を上面１１１に貼付し、周囲部分３２を底面１１２に貼付することにより、光透過布３は側面１１３の上、下側に渡るように設けられ、導光ストリップ２を覆う収容ポケット３３が形成される。このうち、光透過布３は透光材質で製造することができるため、光透過布３は導光ストリップ２の明度を現すことができる。
【００１６】
最後に、図３の工程ｄおよび図１から図２、図４ｃから図４ｄに示すように、ベースプレート４を提供する。ベースプレート４を底面１１２および周囲部分３２に貼付することにより、ベースプレート４は底面１１２および周囲部分３２を覆う。
【００１７】
以下のように詳細に説明する。本考案の発光パッド構造１０は接着剤層５をさらに含み、この接着剤層５はベースプレート４、底面１１２および周囲部分３２の間に挟まれる。これによりベースプレート４が底面１１２および周囲部分３２に貼付されると、図１のような発光パッド構造１０の完成品となる。
【００１８】
このほか、収容ポケット３３は１つまたは複数の開口３４を設けることができ、図４ｄに示すように、導光ストリップ２は開口３４から収容ポケット３３に通すことができる。または、図５に示すように、導光ストリップ２は開口３４を介して収容ポケット３３から引き出すことができる。
【００１９】
このうち、本実施例の開口３４の数量は複数であり、各開口３４は周囲部分３２の外周から内に向かって設けて成形され、各開口３４の位置は各角１１４の位置に対応して設けられるが、これに制限されない。開口３４の位置は収容ポケット３３上に形成されていれば、導光ストリップ２を収容ポケット３３に通す、または収容ポケット３３から引き出す効果を達成することができ、開口３４は中間部分３１および周囲部分３２の間の透かし加工部分に設けることもできる。
【００２０】
図１から図２に示すように、本考案の発光パッド構造１０の使用状態について、光透過布３は主パッド体１１の側面１１３の上、下側に渡るように設けられ、両側がそれぞれ上面１１１および底面１１２に固定される収容ポケット３３が形成される。導光ストリップ２を収容ポケット３３に収容すると、導光ストリップ２は収容ポケット３３を介して明度を現すことができ（光透過布３は透光材質で製造することができる）、これによりパッド体の周囲に光の輪を有して視覚的感覚を高め、同時に導光ストリップ２は収容ポケット３３により側面１１３の周囲に定位される。さらには既知のミシン縫い、かがり縫いの方式でパッド体の外周に縫製する方法を代替し、糸が切れる、糸の緩みが不均一である、または糸が歪むなどの状況が出現するのを防止し、発光パッド構造１０の製造工程の歩留まりを高めることを達成する。
【００２１】
他に、収容ポケット３３に１つまたは複数の開口３４を設けることができ、これにより導光ストリップ２を開口３４から収容ポケット３３に通す、または収容ポケット３３から引き出すことができ、使用者は損壊、好みなどの需要に基づいて導光ストリップ２を交換することができる。
【００２２】
上記をまとめると、本考案の発光パッド構造は、予想した使用目的を確実に達成することができる。既知の欠点を解決し、さらに産業上の利用可能性、新規性および進歩性を有し、完全に実用新案の出願要件に符合するため、実用新案法に応じて出願を行う。精査して実用新案登録を受けることにより、考案者の権利を保障することをお願い致します。
【符号の説明】
【００２３】
１０  発光パッド構造
１  パッドプレート
１１  主パッド体
１１１  上面
１１２  底面
１１３  側面
１１４  角
１２  発光モジュール
２  導光ストリップ
３  光透過布
３１  中間部分
３２  周囲部分
３３  収容ポケット
３４  開口
４  ベースプレート
５  接着剤層
工程  ａ〜ｄ
【図１】
0003223943.tif 000003
【図２】
0003223943.tif 000004
【図３】
0003223943.tif 000005
【図４ａ】
0003223943.tif 000006
【図４ｂ】
0003223943.tif 000007
【図４ｃ】
0003223943.tif 000008
【図４ｄ】
0003223943.tif 000009
【図５】
0003223943.tif 000010